(57)【要約】【課題】間仕切パネル自体を介して伝播する音を、可及的に少なくする。【解決手段】部屋の天井に配設された左右方向を向くレール３に、複数の間仕切パネルＰ２，Ｐ３を、前記レール３に沿って移動自在として装着し、隣り合う間仕切パネルＰ２，Ｐ３の対向側端面同士を衝合することにより、部屋を仕切るようにした移動間仕切装置において、前記間仕切パネルＰ２，Ｐ３の左右側端部に、骨格となる基枠６，７を上下方向に配設し、この基枠６，７の外側端面に、隣り合う間仕切パネルＰ３，Ｐ２に対する対向側端面を構成する側枠８，９を配設するとともに、前記基枠６，７の前後面に、連結部材１１，１２と、前記左右の基枠６，７間に横架させる横桟１３とを、それぞれ緩衝材１４，１５，１６，１７を介して取り付け、かつ前記連結部材１１，１２に前記側枠８，９を、また前記横桟１３にパネル板１０を、それぞれねじ止めしたものとする。【選択図】        図３
2004270282.tif 000002
【特許請求の範囲】
【請求項１】
部屋の天井または天井付近に配設された左右方向を向くレールに、左右方向を向く複数の間仕切パネルを、前記レールに沿って移動自在として装着し、隣り合う間仕切パネルの対向側端面同士を衝合することにより、部屋を仕切るようにした移動間仕切装置において、前記間仕切パネルの左右側端部に、骨格となる基枠を上下方向に配設し、この基枠の外側端面に、隣り合う間仕切パネルに対する対向側端面を構成する側枠を配設するとともに、前記基枠の前後面に、連結部材と、前記左右の基枠間に横架させる横桟とを、それぞれ緩衝材を介して取り付け、かつ前記連結部材に前記側枠を、また前記横桟にパネル板を、それぞれねじ止めしたことを特徴とする移動間仕切装置。
【請求項２】
前記基枠に、前記連結部材と横桟とを、ねじにより共締めしたことを特徴とする請求項１記載の移動間仕切装置。
【請求項３】
前記パネル板を、中間に緩衝材を介在させて、少なくとも三重構造としたことを特徴とする請求項１または２に記載の移動間仕切装置。
【請求項４】
前記パネル板を、緩衝材を介して、前記横桟に取り付けたことを特徴とする請求項１〜３のいずれかに記載の移動間仕切装置。
【請求項５】
前記側枠を、前後方向に複数個に分割し、これら分割された側枠部材の一部を前記連結部材に、残りの側枠部材を前記基枠に、それぞれ緩衝材を介してねじ止めしたことを特徴とする請求項１〜４のいずれかに記載の移動間仕切装置。
【発明の詳細な説明】
【０００１】
【発明の属する技術分野】
本発明は、移動間仕切装置に係り、特に部屋の天井部分に設けたレールに沿って移動する複数の間仕切パネルにより、部屋を仕切るようにした移動間仕切装置の遮音性を向上させる技術に関する。
【０００２】
【従来の技術】
移動間仕切装置は、たとえば、実用新案文献１、特許文献１に示されるように公知である。これらの移動間仕切装置は、いずれも、隣り合う間仕切パネルの対向側端面同士を、磁力を利用して可及的に密着させることにより、遮音性能を向上させようとするものである。
【０００３】
【実用新案文献１】
実公昭５８−５３９１９号公報
【特許文献１】
特開２０００−１０４４４１号公報
【０００４】
【発明が解決しようとする課題】
移動間仕切装置において、高度の遮音性を得るには、隣り合う間仕切パネル間に隙間を生じないようにするばかりでなく、間仕切パネルの側端面における部材を介して伝播する音についても、考慮しなければならない。
本発明は、かかる要求に基づいて、間仕切パネルの側端面の構造を改良し、高度の遮音性を備える移動間仕切装置を提供することを目的とする。
【０００５】
【課題を解決するための手段】
本発明によると、前記課題は、次のようにして解決される。
（１）  部屋の天井または天井付近に配設された左右方向を向くレールに、左右方向を向く複数の間仕切パネルを、前記レールに沿って移動自在として装着し、隣り合う間仕切パネルの対向側端面同士を衝合することにより、部屋を仕切るようにした移動間仕切装置において、前記間仕切パネルの左右側端部に、骨格となる基枠を上下方向に配設し、この基枠の外側端面に、隣り合う間仕切パネルに対する対向側端面を構成する側枠を配設するとともに、前記基枠の前後面に、連結部材と、前記左右の基枠間に横架させる横桟とを、それぞれ緩衝材を介して取り付け、かつ前記連結部材に前記側枠を、また前記横桟にパネル板を、それぞれねじ止めしたことを特徴とする移動間仕切装置とする。
【０００６】
（２）  上記（１）項において、前記基枠に、前記連結部材と横桟とを、ねじにより共締めしたものとする。
【０００７】
（３）  上記（１）項または（２）項において、前記パネル板を、中間に緩衝材を介在させて、少なくとも三重構造とする。
【０００８】
（４）  上記（１）項〜（３）項のいずれかにおいて、前記パネル板を、緩衝材を介して、前記横桟に取り付ける。
【０００９】
（５）  上記（１）項〜（４）項のいずれかにおいて、前記側枠を、前後方向に複数個に分割し、これら分割された側枠部材の一部を前記連結部材に、残りの側枠部材を前記基枠に、それぞれ緩衝材を介してねじ止めしたものとする。
【００１０】
【発明の実施の形態】
図１は、本発明の一実施形態の移動間仕切装置の正面図、図２は、図１におけるＩＩ〜ＩＩ線拡大横断面図、図３は、同じくＩＩＩ〜ＩＩＩ線拡大横断面図である。
なお、図１において、紙面の表面側を「前方」、裏面側を「後方」として、以下説明する。
【００１１】
図１に示すように、部屋（１）の天井（２）には、左右方向に長いレール（３）が配設されている。レール（３）には、吊支杆（４）の上端部に設けられたローラ（図示略）が転動自在に遊嵌され、吊支杆（４）によって床部（５）に向けて吊支された間仕切パネル（Ｐ１）（Ｐ２）（Ｐ３）は、レール（３）に沿って左右方向に移動することができるようになっている。
【００１２】
各間仕切パネル（Ｐ１）（Ｐ２）（Ｐ３）は、同一構成であって、図２に示すように、間仕切パネル（Ｐ１）の左右側端部には、それぞれ基枠（６）（７）が配設され、この各基枠（６）（７）の外側端面に、それぞれ隣り合う間仕切パネルに対する対向側端面を構成する上下方向の側枠（８）（９）が取り付けられ、これら左右の側枠（８）（９）間の前後部に、それぞれパネル板（１０）（１０）を取り付けて形成されている。
【００１３】
本発明は、前記基枠（６）（７）の前後面に、連結部材（１１）（１２）と、左右の基枠（６）（７）間に横架させる横桟（１３）とを、それぞれゴムシートなどの緩衝材（１４）（１５）（１６）（１７）を介して取り付けるとともに、前記連結部材（１１）（１２）に前記側枠（８）（９）を、前記横桟（１３）にパネル板（１０）（１０）を、それぞれねじ止めしたことが特徴である。
【００１４】
図２において、間仕切パネル（Ｐ１）の右側端部について説明すれば、次のとおりである。
平面視において２段Ｌ字状に屈曲された上下方向を向く連結部材（１２）（１２）と、左右の基枠（６）（７）間に横架された横桟（１３）（１３）とが、緩衝材（１４）（１５）を介して、止めねじ（１８）によって、平面視方形をなす上下方向を向く中空管状の基枠（７）の前後面に、共締めされている。
【００１５】
前記止めねじ（１８）は、ゴム等の弾性体（１８ａ）によって頭部を除く周囲が被覆されており、この弾性体（１８ａ）によって、音が止めねじ（１８）を介して伝播することを防止するとともに、止めねじ（１８）のねじ込みによって、前記弾性体（１８ａ）が外側に向けて膨大し、この膨大部（１８ｂ）がナットの作用をなしている。
【００１６】
前記横桟（１３）（１３）には、パネル板（１０）（１０）が緩衝材（２０）を介して、止めねじ（２１）によって止着されている。
パネル板（１０）（１０）は、吸音性を有する石膏ボード（２２）と強化プラスターボード（２３）のパネル板部材を、中間に緩衝材（２４）を介在させて三重構造にして形成されている。
【００１７】
強化プラスターボード（２３）の表面には、図示を省略したクロス貼りなどによる化粧が施されている。
【００１８】
基枠（７）の外側端面に配設されている側枠（９）は、中央側枠部材（２５）と、その前後に配設された端部側枠部材（２６）（２６）の３個に前後方向に分割されている。
【００１９】
前記中央側枠部材（２５）は、前後端に平面視山形の外方に向けて突出する凸部（２７）（２７）を備え、両凸部（２７）（２７）間には、前記基枠（７）とほぼ同幅の中央溝部（２８）が形成され、この中央溝部（２８）の底部は二重構造となっており、その中央で、緩衝材（２９）を介して、止めねじ（３０）によって基枠（７）に止着されている。
【００２０】
前記端部側枠部材（２６）（２６）は、平面視乙字形状を有し、その内側端片（２６ａ）において、緩衝材（３１）を介して止めねじ（３２）によって、前記連結部材（１２）に止着されている。
【００２１】
前記中央側枠部材（２５）における凸部（２７）（２７）の基部から、端部側枠部材（２６）（２６）に向けて連設片（２５ａ）（２５ａ）が延出され、この連設片（２５ａ）と、端部側枠部材（２６）における内側端片（２６ａ）とは、相互に対向し、両者の間には、緩衝材（３３）が挾着されている。
【００２２】
端部側枠部材（２６）（２６）における外側端片（２６ｂ）は、前記連結部材（１２）における外側端片（１２ａ）とともに、パネル板（１０）の右側端面（１０ａ）を覆い、この右側端面（１０ａ）において、パネル板（１０）は、連結部材（１２）に止めねじ（３４）によって止着されている。
【００２３】
中央側枠部材（２５）における前後端の凸部（２７）（２７）の内部には、ポリウレタンなどからなる吸音材（３５）が挿着されている。
【００２４】
一方、間仕切パネル（Ｐ１）の左側端部について説明すれば、次のとおりである。平面視方形をなす上下方向を向く中空管状の基枠（６）の外側端面には、緩衝材（３６）を介して、上下方向を向く幅広な中央側枠部材（３７）が、止めねじ（３８）によって止着されている。
【００２５】
前記中央側枠部材（３７）は、中央に平面視山形の外側に向けて突出する、前記基枠（６）とほぼ同幅の中央凸部（３９）を備え、この中央凸部（３９）の底部中央で、止めねじ（３８）によって基枠（６）に止着されている。
【００２６】
前記中央凸部（３９）の前後面には奥幅広の嵌合凹部（４０）が設けられ、この嵌合凹部（４０）に、弾性舌片（４１ａ）を備えたシール部材（４１）が嵌着されている。
【００２７】
前記中央凸部（３９）は、図３に示すように、隣接する間仕切パネル（Ｐ３）における前記中央側枠部材（２５）の中央溝部（２８）に嵌合され、前記シール部材（４１）は、前記中央凸部（３９）と中央溝部（２８）間の間隙をシールする作用をなしている。
【００２８】
前記基枠（６）の前後面には、平面視が２段Ｌ字状に屈曲された上下方向を向く連結部材（１１）（１１）が、緩衝材（１６）を介して止めねじ（１９）によって横桟（１３）とともに止着されている。この止めねじ（１９）も、音の伝播を防ぐために頭部を除く周囲がゴム等の弾性体（１９ａ）で被覆されている。
【００２９】
前記中央側枠部材（３７）の前後には、上下方向を向く端部側枠部材（４２）（４２）が、配設されている。
【００３０】
前記端部側枠部材（４２）（４２）は、平面視において、長方形状部（４３）の外側先端に、外側に向けて突出する馬蹄形状凸部（４４）と、パネル板（１０）（１０）側に向けて突出する連設片（４５）とが付設されるとともに、長方形状部（４３）の基部から中央側枠部材（３７）に向けて連設片（４６）が延設された形状を備え、この連設片（４６）をもって、緩衝材（４７）を介して前記連結部材（１１）に止めねじ（４８）によって止着されている。
【００３１】
一方、中央側枠部材（３７）の基部には、前後に配設された端部側枠部材（４２）（４２）に向けて連設片（４９）が延設され、この連設片（４９）と、端部側枠部材（４２）における連設片（４６）とは、相互に対向し、両者の間には、緩衝材（５０）が挾着されて連設部を形成している。
【００３２】
中央側枠部材（３７）と端部側枠部材（４２）（４２）との間に形成された溝部（５１）には、隣接する間仕切パネル（Ｐ３）の側枠（９）における凸部（２７）（２７）が嵌合される。
【００３３】
端部側枠部材（４２）における、前記凸部（２７）と対向する面には、奥幅広の嵌合凹部（５２）が設けられ、弾性舌片（５３ａ）を備えるシール部材（５３）が嵌着されている。このシール部材（５３）は、端部側枠部材（４２）と前記凸部（２７）間の間隙をシールする作用をなしている。
前記中央側枠部材（３７）の内部には、ポリウレタンなどからなる吸音材（５４）が挿着されている。
【００３４】
【発明の効果】
本発明によると、次のような効果が奏せられる。
（１）  請求項１記載の発明によれば、従来、隣り合う間仕切パネルの対向側端面間に間隙が存在しない場合においても、間仕切パネル、特にその左右側端部を構成する部材自体を伝播して、間仕切パネルの前後方向の一方から他方側に漏洩していた音の伝播が、間仕切パネルの左右側端における、骨格となる基枠に、連結部材と横桟を、それぞれ緩衝材を介して取り付け、連結部材に側枠を、横桟にパネル板を止着したため、緩衝材によって阻止され、高度の遮音性を得ることができる。
【００３５】
（２）  請求項２記載の発明によれば、共締めすることにより、音が伝播し易いねじ止め部の個数を減らし、遮音性を向上させることができる。
【００３６】
（３）  請求項３記載の発明によれば、パネル板自体の遮音性を向上させることができる。
【００３７】
（４）  請求項４記載の発明によれば、パネル板から横桟への音の伝播を減少させることができる。
【００３８】
（５）  請求項５記載の発明によれば、側枠を複数個に分割することにより、音が側枠を介して伝播することを良好に防止することができる。
【図面の簡単な説明】
【図１】本発明の一実施形態の移動間仕切装置の正面図である。
【図２】図１におけるＩＩ〜ＩＩ線拡大横断面図である。
【図３】同じく、ＩＩＩ〜ＩＩＩ線拡大横断面図である。
【符号の説明】
（Ｐ１）（Ｐ２）（Ｐ３）間仕切パネル
（１）部屋
（２）天井
（３）レール
（４）吊支杆
（５）床部
（６）（７）基枠
（８）（９）側枠
（１０）パネル板
（１０ａ）右側端面
（１１）（１２）連結部材
（１２ａ）外側端片
（１３）横桟
（１４）（１５）（１６）（１７）緩衝材
（１８）（１９）止めねじ
（１８ａ）（１９ａ）弾性体
（１８ｂ）膨大部
（２０）緩衝材
（２１）止めねじ
（２２）（２３）パネル板部材
（２４）緩衝材
（２５）中央側枠部材
（２５ａ）連設片
（２６）端部側枠部材
（２６ａ）内側端片
（２６ｂ）外側端片
（２７）凸部
（２８）中央溝部
（２９）緩衝材
（３０）止めねじ
（３１）緩衝材
（３２）止めねじ
（３３）緩衝材
（３４）止めねじ
（３５）吸音材
（３６）緩衝材
（３７）中央側枠部材
（３８）止めねじ
（３９）中央凸部
（４０）嵌合凹部
（４１）シール部材
（４１ａ）弾性舌片
（４２）端部側枠部材
（４３）長方形状部
（４４）馬蹄形状凸部
（４５）（４６）連設片
（４７）緩衝材
（４８）止めねじ
（４９）連設片
（５０）緩衝材
（５１）溝部
（５２）嵌合凹部
（５３）シール部材
（５３ａ）弾性舌片
（５４）吸音材
【図１】
2004270282.tif 000003
【図２】
2004270282.tif 000004
【図３】
2004270282.tif 000005